(57)【要約】【課題】リーチインショーケースの商品陳列室内にスライド棚を設けた場合に、商品陳列室内の横幅方向の商品陳列スペースを十分に広く確保するリーチインショーケースを提供することである。【解決手段】内部に商品陳列室９を有し、前面に開口２を有するショーケース本体３と、商品陳列室９内に配置され、後端側がショーケース本体３に取付けられて前端側が前面側に延出する少なくとも左右一対のブラケット１６と、商品陳列室９内に配置され、左右両端を隣り合うブラケット１６に前後方向スライド可能に取付けられるスライド棚１７とを有し、ブラケット１６は断面形状が逆Ｕ字形に設けられ、ブラケット１６とスライド棚１７とは、ブラケット１６の上面部分１６ａとスライド棚１７の上面部分１７ａとが略面一となるように配置されている。【選択図】図３
2017035313.tif 000002
【特許請求の範囲】
【請求項１】
内部に商品陳列室を有し、前面に開口を有するショーケース本体と、
前記商品陳列室内に配置され、後端側が前記ショーケース本体に取付けられて前端側が前面側に延出する少なくとも左右一対のブラケットと、
前記商品陳列室内に配置され、左右両端を隣り合う前記ブラケットに前後方向スライド可能に取付けられるスライド棚と、を有し、
前記ブラケットは断面形状が逆Ｕ字形に設けられ、前記ブラケットと前記スライド棚とは、前記ブラケットの上面部分と前記スライド棚の上面部分とが略面一となるように配置されていることを特徴とするショーケース。
【請求項２】
前記ブラケットは、前端側が水平よりも上向きとなるように傾けて取付けられていることを特徴とする請求項１記載のショーケース。
【発明の詳細な説明】
【技術分野】
【０００１】
本発明は、ショーケース本体の商品陳列室内に前後方向にスライド可能なスライド棚を備えるリーチインショーケースに関する。
【背景技術】
【０００２】
従来、ショーケース本体の商品陳列室内に設けられた陳列棚に商品を陳列して販売するリーチインショーケースにおいて、陳列棚への商品の陳列作業を容易にするため、陳列棚を前後方向にスライド可能なスライド棚としたものが知られている。このようなスライド棚を採用したリーチインショーケースとしては、例えば、下記特許文献１に記載されたものが知られている。
【０００３】
リーチインショーケースにおいてスライド棚を採用した場合には、前方に引き出されるスライド棚が、開放状態の扉や、ショーケース本体の側面部内側に設けられているランプや、ショーケース本体の左右方向の中間位置に設けられている中部支柱に当たらないようにする必要がある。このため、スライド棚の横幅寸法を、ショーケース本体の開口部分の横幅寸法に比べて小さくしなければならず、商品陳列室内の横幅方向の商品陳列スペースが狭くなるという問題がある。
【０００４】
下記特許文献１に記載されているリーチインショーケースでは、左右一対のスライド棚の間の部分であって中部支柱の後側となる部分に、位置固定である中間棚が設けられ、この中間棚の上に商品を陳列することにより、商品陳列室内の商品陳列スペースが狭くなることを抑えている。
【先行技術文献】
【特許文献】
【０００５】
【特許文献１】特開平０５−１３０９２７号公報
【発明の概要】
【発明が解決しようとする課題】
【０００６】
しかしながら、特許文献１に記載されているリーチインショーケースでは、スライドするスライド棚がショーケース本体の側面部内側に設けられているランプに当たらないようにするため、スライド棚の左右方向の端部とショーケース本体の側面部内側との間に隙間を確保しなければならず、商品陳列室内における横幅方向の商品陳列スペースが狭くなっている。
【０００７】
本発明は、このような課題を解決するためになされたものであり、その目的は、ショーケース本体の商品陳列室内にスライド棚を設けた場合において、商品陳列室内の横幅方向の商品陳列スペースを十分に広く確保することができるリーチインショーケースを提供することである。
【課題を解決するための手段】
【０００８】
本発明に係るリーチインショーケースは、内部に商品陳列室を有し、前面に開口を有するショーケース本体と、前記商品陳列室内に配置され、後端側が前記ショーケース本体に取付けられて前端側が前面側に延出する少なくとも左右一対のブラケットと、前記商品陳列室内に配置され、左右両端を隣り合う前記ブラケットに前後方向スライド可能に取付けられるスライド棚と、を有し、前記ブラケットは断面形状が逆Ｕ字形に設けられ、前記ブラケットと前記スライド棚とは、前記ブラケットの上面部分と前記スライド棚の上面部分とが略面一となるように配置されている。
【０００９】
また、前述の本発明に係るリーチインショーケースにおいて、前記ブラケットは、前端側が水平よりも上向きとなるように傾けて取付けられていることが望ましい。
【発明の効果】
【００１０】
本発明に係るリーチインショーケースは、後端側がショーケース本体に取付けられて前端側が正面側に延出する左右一対のブラケットに前後方向スライド可能にスライド棚が取付けられ、ブラケットは断面形状が逆Ｕ字形に設けられてこのブラケットの上面部分とスライド棚の上面部分とが略面一となるので、スライド棚の上面部分とブラケットの上面部分とに商品を陳列することができる。また、ブラケットをショーケース本体の側面部内側に近接させて配置することができ、さらに、ブラケットをショーケース本体の左右方向の中間位置に設けられる中部支柱の後側に配置することができるので、商品陳列室内の商品陳列スペースを十分に広く確保することができる。
【００１１】
また、ブラケットは、前端側が水平よりも上向きとなるように傾けて取付けられているので、スライド棚を前方にスライドさせてスライド棚の上面部分に商品を陳列する場合にスライド棚が前垂れ状態になることを防止することができ、スライド棚の上面部分への商品の陳列作業をスムーズに行うことができる。
【図面の簡単な説明】
【００１２】
【図１】本発明の一実施形態のリーチインショーケースを示す斜視図である。
【図２】リーチインショーケースの断面側面図である。
【図３】リーチインショーケースの断面平面図である。
【図４】ブラケットの形状、及び、ブラケットとスライド棚との配置状態を示す斜視図である。
【発明を実施するための形態】
【００１３】
本発明の一実施形態について、図面に基づいて説明する。図１は、リーチインショーケース１を示す斜視図である。このリーチインショーケース１は、前面に開口２が形成された箱形状のショーケース本体３を有し、ショーケース本体３には開口２を開閉する左右一対のガラス扉４が回動可能に取付けられている。ガラス扉４には、このガラス扉４を開閉する際に杷持する取手５が設けられている。
【００１４】
図２は、リーチインショーケース１の内部構造を示す断面側面図である。ショーケース本体３の内部には、底面板６と背面板７と天井板８とが設けられ、これらの底面板６と背面板７と天井板８とに囲まれた領域が、販売する商品を陳列する商品陳列室９とされている。また、これらの底面板６、背面板７、天井板８とショーケース本体３の内周面との間の領域は、冷気が流れるダクト１０とされている。このダクト１０内における天井板８の上部には、送風ファン１１と冷却器１２とが配置されている。ダクト１０の上部側前端部には、ダクト１０内を流れる冷気が下向きに吹き出す吹出口１３が設けられ、ダクト１０の下部側前端部には、吹出口１３から吹き出した冷気が吸い込まれる吸込口１４が設けられている。
【００１５】
商品陳列室９内には、背面板７に沿って上下方向に延出する複数本の奥部支柱１５と、後端側をこれらの奥部支柱１５に取付けられて前端側が開口２側に延出する複数のブラケット１６と、左右両端を隣り合うブラケット１６に取付けられて前後方向にスライド可能なスライド棚１７（図３参照）とが設けられている。スライド棚１７はその上面部分１７ａ（図３参照）に陳列する商品が載置される部材であり、スライド棚１７の前部と後部とには陳列した商品が落下することを防止する落下防止柵１８、１９が設けられている。ブラケット１６とスライド棚１７とは、上下方向に複数段設けられている。また、奥部支柱１５へのブラケット１６の取付けは、ブラケット１６の前端側が水平よりも上向きとなるように傾けて行われている。
【００１６】
図３は、リーチインショーケース１の内部構造を示す断面平面図である。ショーケース本体３の商品陳列室９内には、上述した奥部支柱１５が左右方向に４本設けられ、さらに、開口２側の左右両側に位置する２つの側部支柱２０、２１と、開口２側の左右方向中央に位置する１つの中部支柱２２とが設けられている。側部支柱２０、２１にはガラス扉４の一端側が回動可能に取付けられ、ガラス扉４を閉止した場合にガラス扉４の他端側が中部支柱２２に当接されるようになっている。
【００１７】
図４は、ブラケット１６の形状、及び、ブラケット１６とスライド棚１７との配置状態を示す斜視図である。ブラケット１６は、断面形状が逆Ｕ字形に設けられ、上面部分１６ａが平坦面とされている。スライド棚１７は横幅方向の端部をブラケット１６に近接させて配置され、かつ、ブラケット１６の上面部分１６ａとスライド棚１７の上面部分１７ａとが略面一となるように配置されている。また、ブラケット１６とスライド棚１７の左右両端との間には、スライド棚１７を前後方向にスライドさせるためのスライド機構（図示せず）が設けられている。
【００１８】
図３に戻って説明を続けると、ブラケット１６は、両側の側部支柱２０、２１の後側に１つずつ配置され、中部支柱２２の後側に２つ配置されている。そして、左側の側部支柱２０の後側に位置するブラケット１６と中部支柱２２の後側に位置する一方のブラケット１６との間に一つのスライド棚１７が配置され、右側の側部支柱２１の後側に位置するブラケット１６と中部支柱２２の後側に位置する他方のブラケット１６との間に他の一つのスライド棚１７が配置されている。
【００１９】
側部支柱２０、２１及び中部支柱２２の横幅寸法と、ブラケット１６の横幅寸法とは、スライド棚１７を前後方向にスライドさせた場合に、スライド棚１７が側部支柱２０、２１及び中部支柱２２に接触しないように設定されている。
【００２０】
このような構成において、このリーチインショーケース１では、隣り合う一対のブラケット１６の間に前後方向スライド可能にスライド棚１７が設けられており、スライド棚１７の上面部分１７ａに商品を陳列する場合には、図３の右側のスライド棚１７で示すように、スライド棚１７を前方側にスライドさせてショーケース本体３から引き出した状態とする。このため、スライド棚１７の上面部分１７ａの上方が開放された状態となり、この上面部分１７ａに商品を陳列する作業を手間をかけず容易に行うことができる。しかも、奥部支柱１５に取付けられているブラケット１６は、ブラケット１６の前端側が水平よりも上向きとなるように傾けられているため、スライド棚１７を前方側にスライドさせ、そのスライド棚１７に商品を陳列することによりスライド棚１７に下向きの荷重が作用した場合でも、スライド棚１７が前垂れ状態とならず、スライド棚１７の上面部分１７ａに商品を陳列する作業をより一層容易に行うことができる。
【００２１】
また、スライド棚１７を手前側にスライドさせてショーケース本体３から引き出すためには、スライド棚１７の横幅寸法を小さくし、スライド棚１７が側部支柱２０、２１や中部支柱２２に接触しないようにする必要があり、スライド棚１７の上面部分１７ａの商品陳列スペースが狭くなる。
【００２２】
しかし、このリーチインショーケース１では、側部支柱２０、２１と中部支柱２２との後側に位置してブラケット１６が配置され、これらのブラケット１６は断面形状が逆Ｕ字形に設けられ、ブラケット１６の上面部分１６ａとスライド棚１７の上面部分１７ａとが略面一となっている。このため、スライド棚１７がショーケース本体３内に収容されている場合には、図３の左側のスライド棚１７で示すように、スライド棚１７の上面部分１７ａと、そのスライド棚１７の両側に位置するブラケット１６の上面部分１６ａとに商品を陳列することができる。これにより、前後方向にスライド可能なスライド棚１７を採用した場合でも、側部支柱２０、２１や中部支柱２２の後側の領域を商品陳列スペースとして利用することができ、商品陳列室９内における商品陳列スペースを十分に広く確保することができる。
【００２３】
また、このリーチインショーケース１は、ショーケース本体３内にブラケット１６を取付け、このブラケット１６にスライド棚１７を取付ける構造であるので、前後方向にスライドできない固定式の陳列棚を有する既存のリーチインショーケースにおいても、その固定式の陳列棚を取外してスライド棚１７に変更することを容易に行うことができる。
【符号の説明】
【００２４】
１    リーチインショーケース
２    開口
３    ショーケース本体
４    ガラス扉
５    取手
６    底面板
７    背面板
８    天井板
９    商品陳列室
１０    ダクト
１１    送風ファン
１２    冷却器
１３    吹出口
１４    吸込口
１５    奥部支柱
１６    ブラケット
１６ａ  上面部分
１７    スライド棚
１７ａ  上面部分
１８、１９  落下防止策
２０、２１  側部支柱
２２    中部支柱
【図１】
2017035313.tif 000003
【図２】
2017035313.tif 000004
【図３】
2017035313.tif 000005
【図４】
2017035313.tif 000006